(57)【要約】【課題】レンズ鏡筒の耐衝撃性を向上させる。【解決手段】レンズ鏡筒であって、互いに係合して駆動力を伝達する駆動カム溝および駆動カムピンの一方を有し、光学部材を保持する保持部材と、駆動カム溝および駆動カムピンの他方を有し、光学部材の光軸の周りを回転した場合に保持部材を光軸と平行な方向に移動させる駆動部材と、保持部材および駆動部材の一方に形成された、複数の当接区間を含むカム面を有する耐衝撃カム溝と、保持部材および駆動部材の他方に設けられて耐衝撃カム溝に係合する耐衝撃駒とを備え、耐衝撃駒は、複数の当接区間のひとつにおけるカム面の延在方向に倣った面を有して、記保持部材が外部から衝撃を受けた場合にひとつの当接区間に当接する一の当接面と、複数の当接区間の他のひとつにおけるカム面の延在方向に倣った面を有して、記保持部材が外部から衝撃を受けた場合に他のひとつの当接区間に当接する他の当接面とを含む。【選択図】図１２
2014085486.tif 000002
【特許請求の範囲】
【請求項１】
互いに係合して駆動力を伝達する駆動カム溝および駆動カムピンの一方を有し、光学部材を保持する保持部材と、
前記駆動カム溝および前記駆動カムピンの他方を有し、前記光学部材の光軸の周りを回転した場合に前記保持部材を前記光軸と平行な方向に移動させる駆動部材と、
前記保持部材および前記駆動部材の一方に形成された、複数の当接区間を含むカム面を有する耐衝撃カム溝と、
前記保持部材および前記駆動部材の他方に設けられて前記耐衝撃カム溝に係合する耐衝撃駒と
を備え、
前記耐衝撃駒は、
前記複数の当接区間のひとつにおける前記カム面の延在方向に倣った面を有して、記保持部材が外部から衝撃を受けた場合に前記複数の当接区間のひとつに当接する一の当接面と、
前記複数の当接区間の他のひとつにおける前記カム面の延在方向に倣った面を有して、記保持部材が外部から衝撃を受けた場合に前記他のひとつの当接区間に当接する他の当接面と
を含むレンズ鏡筒。
【請求項２】
前記駆動カムは、円錐台状の形状を有し、前記駆動カム溝に対して常時当接する請求項１に記載のレンズ鏡筒。
【請求項３】
前記駆動カム溝は、前記光学部材を含む光学系を変倍させる変倍区間と、前記変倍区間の外側に前記保持部材を退避させる沈胴位置とを有する請求項１または請求項２に記載のレンズ鏡筒。
【請求項４】
前記駆動カム溝は、前記駆動カム溝の延在方向が前記光軸と直交する面に対してなす傾斜角度が小さい微動区間を、前記光学部材を含む光学系を変倍させる変倍区間の端部に有する請求項１から請求項３までのいずれか一項に記載のレンズ鏡筒。
【請求項５】
前記一の当接面および前記他の当接面のいずれかは、前記駆動カムピンが前記微動区間に位置する場合に、前記複数の当接区間のいずれかにおいて前記耐衝撃カム溝の前記カム面に対向する請求項４に記載のレンズ鏡筒。
【請求項６】
前記一の当接面および前記他の当接面のいずれかは、前記複数の当接区間以外の区間において、前記耐衝撃カム溝のカム面から離間する請求項１から請求項５までのいずれか一項に記載のレンズ鏡筒。
【請求項７】
前記耐衝撃カム溝において、前記耐衝撃カム溝のカム面と前記保持部材および前記駆動部材の前記他方の表面とが境界においてなす角度が、前記複数の当接区間の各々において、前記当接区間以外の区間よりも大きい請求項１から請求項６までのいずれか一項に記載のレンズ鏡筒。
【請求項８】
前記保持部材および前記駆動部材の一方において前記耐衝撃カム溝を挟んで配置された一対の前記駆動カム溝と、
前記保持部材および前記駆動部材の他方において前記耐衝撃駒を挟んで配置され、前記一対の駆動カム溝に係合する一対の前記駆動カムピンと
を備える請求項１から請求項７までのいずれか一項に記載のレンズ鏡筒。
【請求項９】
請求項１から請求項８までのいずれか一項に記載のレンズ鏡筒を備えた撮像装置。
【発明の詳細な説明】
【技術分野】
【０００１】
本発明は、レンズ鏡筒および撮像装置に関する。
【背景技術】
【０００２】
衝撃等を受けた場合に当接する切り立った面を、テーパを有するカムピンの一部に設けたレンズ鏡筒がある（特許文献１参照）。
［特許文献１］  特開２０１０−０３２９７０号公報
【発明の概要】
【発明が解決しようとする課題】
【０００３】
カムピンおよびカム面の衝撃に対する強度を向上させることと、カムによるレンズの位置決め精度を向上させることとはトレードオフの関係にある。
【課題を解決するための手段】
【０００４】
本発明の第一態様によると、互いに係合して駆動力を伝達する駆動カム溝および駆動カムピンの一方を有し、光学部材を保持する保持部材と、駆動カム溝および駆動カムピンの他方を有し、光学部材の光軸の周りを回転した場合に保持部材を光軸と平行な方向に移動させる駆動部材と、保持部材および駆動部材の一方に形成された、複数の当接区間を含むカム面を有する耐衝撃カム溝と、保持部材および駆動部材の他方に設けられて耐衝撃カム溝に係合する耐衝撃駒とを備え、耐衝撃駒は、複数の当接区間のひとつにおけるカム面の延在方向に倣った面を有して、記保持部材が外部から衝撃を受けた場合にひとつの当接区間に当接する一の当接面と、複数の当接区間の他のひとつにおけるカム面の延在方向に倣った面を有して、記保持部材が外部から衝撃を受けた場合に他のひとつの当接区間に当接する他の当接面とを含むレンズ鏡筒が提供される。
【０００５】
本発明の第二態様によると、上記レンズ鏡筒を備える撮像装置が提供される。
【０００６】
上記発明の概要は、この発明の必要な特徴の全てを列挙したものではない。これらの特徴群のサブコンビネーションもまた発明となり得る。
【図面の簡単な説明】
【０００７】
【図１】一眼レフカメラ１００の模式的断面図である。
【図２】レンズユニット２００の模式的断面図である。
【図３】レンズユニット２００の部分的な分解斜視図である。
【図４】先筒２０４を単独で示す斜視図である。
【図５】カム筒２０５を単独で示す斜視図である。
【図６】先筒２０４およびカム筒２０５を抜き出して示す側面図である。
【図７】カム筒２０５と先筒２０４の関係を示す模式図である。
【図８】カム筒２０５と先筒２０４の関係を示す模式図である。
【図９】カム筒２０５におけるカムプロファイルを示す模式図である。
【図１０】耐衝撃カム溝２９９の詳細な形状を示す図である。
【図１１】耐衝撃駒２８９の斜視図である。
【図１２】耐衝撃駒２８９の断面図である。
【図１３】耐衝撃駒２８９の斜視図である。
【図１４】耐衝撃駒２８９の断面図である。
【発明を実施するための形態】
【０００８】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【０００９】
図１は、一眼レフカメラ１００の模式的断面図である。一眼レフカメラ１００は、レンズユニット２００およびカメラボディ３００を含む。なお、記載を簡潔にする目的で、下記の説明においては、カメラボディ３００に装着されたレンズユニット２００に対して物体側を、一眼レフカメラ１００の前側または先側と記載する。また、レンズユニット２００に対して物体から遠い側を、一眼レフカメラ１００における後側または背面側と記載する。
【００１０】
レンズユニット２００は、光軸Ｚに沿って配置された第一レンズ群２１０、第二レンズ群２２０、第三レンズ群２３０および第四レンズ群２４０を含む光学系を有する。第一レンズ群２１０、第二レンズ群２２０、第三レンズ群２３０および第四レンズ群２４０は、それぞれ個別のレンズ保持枠２１２、２２２、２３２、２４２に個別に保持される。
【００１１】
図示のレンズユニット２００は、第一レンズ群２１０、第二レンズ群２２０、第三レンズ群２３０および第四レンズ群２４０が相互に接近した沈胴状態にある。これにより、レンズユニット２００の光軸Ｚ方向の長さが短縮されて携帯性は向上するが、光学装置としての機能は利用できない状態にある。
【００１２】
レンズユニット２００は、固定筒２０１、操作環２０２、直進筒２０３、先筒２０４、カム筒２０５、案内筒２０６、第一移動枠２０７および第二移動枠２０９を含む鏡筒を有する。固定筒２０１は、後端にレンズ側マウント部２０８を有する。レンズ側マウント部２０８をカメラボディ３００前面のボディ側マウント部３６０と結合させることにより、固定筒２０１は、カメラボディ３００に対して結合される。
【００１３】
レンズ側マウント部２０８およびボディ側マウント部３６０の結合は解除できる。よって、カメラボディ３００は、規格に適合するレンズ側マウント部２０８を有する他のレンズユニット２００と組み合わせても使用できる。
【００１４】
操作環２０２は、固定筒２０１の外周面に配され、ユーザの操作により、光学系の光軸Ｚを回転軸として回転する。操作環２０２は、内面に形成されたカム溝、直溝等により、直進筒２０３およびカム筒２０５に係合する。直進筒２０３は、固定筒２０１に対して光軸Ｚ方向に移動する。また、カム筒２０５は、操作環２０２と共に回転しつつ、直進筒２０３に連れ従って光軸Ｚ方向に移動する。
【００１５】
なお、カム筒２０５の内側に位置する案内筒２０６は、固定筒２０１に結合されて固定筒２０１に対して移動しない。よって、カム筒２０５は、案内筒２０６に対しても光軸Ｚ方向に移動する。
【００１６】
先筒２０４は、直進筒２０３およびカム筒２０５にそれぞれ係合して支持される。これにより、先筒２０４は、直進筒２０３およびカム筒２０５の固定筒２０１に対する移動に連れ従って光軸Ｚ方向に移動する。
【００１７】
更に、先筒２０４は、回転することなく光軸Ｚ方向に移動する直進筒２０３と、回転しつつ光軸Ｚ方向に移動するカム筒２０５との間で駆動されて、直進筒２０３およびカム筒２０５に対しても移動する。先筒２０４は、第一レンズ群２１０を保持するレンズ保持枠２１２を先端に支持しているので、先筒２０４の移動に伴って第一レンズ群２１０も移動する。
【００１８】
第一移動枠２０７および第二移動枠２０９は、カム筒２０５に形成されたカム溝に係合するカムピン２８３、２８４をそれぞれ有して、カム筒２０５の回転に伴って固定筒２０１に対して光軸Ｚ方向に個別に移動する。これにより、第一移動枠２０７は、第二レンズ群２２０を保持したレンズ保持枠２２２を光軸光方向移動させる。また、第二移動枠２０９は、第三レンズ群２３０および第四レンズ群２４０を保持するレンズ保持枠２３２、２４２を間接的または直接的に連結して、第三レンズ群２３０および第四レンズ群２４０を光軸Ｚ方向移動させる。
【００１９】
更に、第三レンズ群２３０を保持するレンズ保持枠２３２は、第四レンズ群２４０を保持するレンズ保持枠２４２に固定された送りねじ組立体２７０により駆動されて、レンズ保持枠２４２に対して更に移動可能に支持される。送りねじ組立体２７０は、ステッピングモータ２７２、送りねじ２７４およびフレーム２７６を有する。
【００２０】
フレーム２７６は、ステッピングモータ２７２および送りねじ２７４を一体的に支持し、レンズ保持枠２４２に対して固定される。ステッピングモータ２７２は、送りねじ２７４を回転駆動する。送りねじ２７４は、ラック部材２７８を介してレンズ保持枠２３２と係合する。
【００２１】
これにより、レンズ保持枠２３２に保持された第三レンズ群２３０を、第四レンズ群２４０を保持したレンズ保持枠２４２に対して相対移動させることができる。レンズユニット２００において第三レンズ群２３０が移動した場合、レンズユニット２００の光学系の焦点位置が変化する。よって、カメラボディ３００側からの信号に基づいてステッピングモータ２７２を電気的に制御することにより、レンズユニット２００を合焦させることができる。
【００２２】
カメラボディ３００は、ボディ側マウント部３６０の後方に配されたミラーユニット３７０を備える。ミラーユニット３７０の下方には合焦光学系３８０が配される。ミラーユニット３７０の上方にはフォーカシングスクリーン３５２が配される。
【００２３】
フォーカシングスクリーン３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。
【００２４】
ミラーユニット３７０の後方には、シャッタユニット３１０、ローパスフィルタ３３２、撮像素子３３０、基板３２０および表示部３４０が順次配される。液晶表示板等により形成される表示部３４０は、カメラボディ３００の背面に表われる。基板３２０には、制御部３２２および画像処理部３２４等が実装される。
【００２５】
ミラーユニット３７０は、メインミラー３７１およびサブミラー３７４を含む。メインミラー３７１は、メインミラー回動軸３７３により軸支されたメインミラー保持部３７２に支持される。
【００２６】
サブミラー３７４は、サブミラー回動軸３７６により軸支されたサブミラー保持部３７５に支持される。サブミラー保持部３７５は、メインミラー保持部３７２に対して回動する。よって、メインミラー保持部３７２が回動した場合、サブミラー保持部３７５もメインミラー保持部３７２と共に変位する。
【００２７】
メインミラー保持部３７２の前端が降下した場合、メインミラー３７１は、レンズユニット２００から入射した入射光束上に斜めに位置する。メインミラー保持部３７２が上昇した場合、メインミラー３７１は、入射光束を避けた位置に退避する。
【００２８】
メインミラー３７１が入射光束上に位置する場合、レンズユニット２００を通じて入射した入射光束は、メインミラー３７１に反射されてフォーカシングスクリーン３５２に導かれる。フォーカシングスクリーン３５２は、レンズユニット２００の光学系と共役な位置に配されて、レンズユニット２００の光学系が形成した像を可視化する。
【００２９】
フォーカシングスクリーン３５２上の像は、ペンタプリズム３５４およびファインダ光学系３５６を通じてファインダ３５０から観察される。ここで、ペンタプリズム３５４を通じて像を観察することにより、ファインダ３５０からは正立正像を観察できる。
【００３０】
測光センサ３９０は、ファインダ光学系３５６の上方に配され、分岐されさた入射光束の一部を受光する。測光センサ３９０は、被写体輝度を検出して、制御部３２２に撮影条件の一部である露出条件を算出させる。
【００３１】
メインミラー３７１は、入射光束の一部を透過するハーフミラー領域を有する。サブミラー３７４は、ハーフミラー領域から入射した入射光束の一部を、合焦光学系３８０に向かって反射する。合焦光学系３８０は、入射した入射光束の一部を焦点検出センサ３８２に導く。これにより、制御部３２２は、レンズユニット２００の光学系を合焦させる場合に移動するレンズの目標位置を決定する。
【００３２】
上記のようなレンズユニット２００およびカメラボディ３００を備える一眼レフカメラ１００においてレリーズボタンが半押しされると、焦点検出センサ３８２および測光センサ３９０が有効になり、被写体像を適切な撮影条件で撮影できる状態になる。次いで、レリーズボタンが全押しされると、メインミラー３７１およびサブミラー３７４が退避位置に移動して、シャッタユニット３１０が開く。これにより、レンズユニット２００から入射した入射光束は、ローパスフィルタ３３２を通過して、撮像素子３３０に入射する。
【００３３】
図２は、レンズユニット２００の他の状態を示す部分的な断面図であり、光軸Ｚに対して図中上側に、広角側に変倍されたレンズユニット２００の断面を示す。また、図２において、光軸Ｚに対して図中下側には、望遠側に変倍されたレンズユニット２００の断面を示す。
【００３４】
なお、図２において、図１と共通の要素には同じ参照番号を付して重複する説明を省く。ただし、図２は、光軸Ｚを含む断面である点で図１と共通するものの、図１とは異なる断面が示されており、図１と共通の要素であっても、図１とは異なる形状で現れている場合がある。
【００３５】
レンズユニット２００において、直進筒２０３は、リード部２８０において操作環２０２と係合する。直進筒２０３は、固定筒２０１に対する回転が抑制されているので、操作環２０２が回転操作された場合、光軸Ｚ方向に移動する駆動力を操作環２０２から受ける。
【００３６】
カム筒２０５は、それ自体の後端付近に配されたバヨネット爪２８６により、直進筒２０３の後端付近に係合する。バヨネット爪２８６は、直進筒２０３の内面に周方向に延在するバヨネット溝に係合するので、カム筒２０５は、光軸Ｚの周りに回転できる。しかしながら、直進筒２０３が光軸Ｚ方向に移動した場合は、直進筒２０３に連れ従って、カム筒２０５も光軸方向に移動する。換言しれば、カム筒２０５と直進筒２０３とは、光軸Ｚ方向に限って係合されている。
【００３７】
また、カム筒２０５は、それ自体の外周面に固定された連結ピン２８５を通じて、操作環２０２の内面に光軸Ｚと平行に設けられた溝に係合する。これにより、操作環２０２が回転操作された場合、カム筒２０５も回転する。
【００３８】
既に説明した通り、操作環２０２が回転操作された場合、直進筒２０３は光軸Ｚ方向に移動し、カム筒２０５も直進筒２０３に連れ従って移動する。よって、操作環２０２が回転操作された場合、カム筒２０５は、光軸Ｚの周りに回転しつつ、光軸Ｚ方向に移動する。
【００３９】
案内筒２０６は、カム筒２０５の内側に位置して、固定筒２０１に結合されて固定される。よって、操作環２０２が回転操作された場合、直進筒２０３およびカム筒２０５は、案内筒２０６に対しても移動することになる。案内筒２０６は、光軸Ｚの方向についてレンズユニット２００の前端側に向かって延在するので、カム筒２０５を内面側から支持すると共に、直進筒２０３の後端に設けられたキー２８７と係合する直進溝２８８により、直進筒２０３の回転を抑制する。
【００４０】
先筒２０４は、先端に第一レンズ群２１０のレンズ保持枠２１２を支持する。また、先筒２０４は、駆動カムピン２８１等により直進筒２０３およびカム筒２０５に係合して双方から支持される。よって、直進筒２０３およびカム筒２０５が光軸Ｚ方向に移動する場合は、先筒２０４も連れ従って光軸Ｚ方向に移動する。
【００４１】
更に、操作環２０２が回転操作された場合、先筒２０４は、回転することなく光軸Ｚ方向に移動する直進筒２０３と、回転しつつ光軸Ｚ方向に移動するカム筒２０５との間で駆動されて、直進筒２０３およびカム筒２０５に対しても光軸Ｚ方向に移動する。これにより、先筒２０４の先端に保持された第一レンズ群２１０は、固定筒２０１から前方に大きく繰り出される。
【００４２】
このように、操作環２０２が回転操作された場合、第一レンズ群２１０、第二レンズ群２２０、第三レンズ群２３０および第四レンズ群２４０が、固定筒２０１に対してそれぞれ個別に移動する。これにより、操作環２０２の回転量に応じて、レンズユニット２００に形成された光学系の倍率が変化する。また、レンズユニット２００の変倍の範囲を超えて操作環２０２が回転操作された場合、レンズユニット２００は沈胴状態になる。
【００４３】
図３は、レンズユニット２００の一部の分解斜視図である。図３には、固定筒２０１、案内筒２０６、操作環２０２、直進筒２０３およびカム筒２０５が示される。図１および図２と共通の要素には同じ参照番号を付して重複する説明を省く。
【００４４】
案内筒２０６は、径方向外側に向かって突出する複数の位置決め部２９５を有する。これにより、案内筒２０６は、固定筒２０１の内側において予め定められた位置に位置決めされ、固定筒２０１に対して固定される。案内筒２０６は、固定筒２０１に対して、例えばねじ止めで固定される。
【００４５】
案内筒２０６の外周面には、複数のリード溝２９４が配される。リード溝２９４は、カム筒２０５の内面に設けられたリード部と係合する。これにより、操作環２０２が回転操作され、カム筒２０５が固定筒２０１に対して回転しつつ光軸Ｚ方向に移動する場合に、カム筒２０５の移動経路が案内される。
【００４６】
また、案内筒２０６の外周面には、光軸Ｚ方向に延在する直進溝２８８が配される。直進溝２８８は、直進筒２０３の後端に設けられたキー２８７と係合して、直進筒２０３の光軸Ｚ方向への移動を許容しつつ回転を規制する。
【００４７】
組み立てられたレンズユニット２００において、案内筒２０６の外側にはカム筒２０５が配される。カム筒２０５は、それ自体の外周面の後端近傍に、径方向に突出する複数のバヨネット爪２８６を有する。バヨネット爪２８６は、直進筒２０３の後端近傍の内面に、周方向に配されたバヨネット溝と係合する。これにより、カム筒２０５は、直進筒２０３に対する回転を許容されつつ、光軸Ｚ方向については、直進筒２０３と連結される。
【００４８】
カム筒２０５の外周面には、連結ピン２８５がねじ止めされる。連結ピン２８５は、カム筒２０５の径方向外側に向かって、カム筒２０５から突出する。
【００４９】
また、カム筒２０５の外周面には、一対の駆動カム溝２９１と、単一の耐衝撃カム溝２９９とを組み合わせたカム溝群が複数配される。それぞれのカム溝群において、一対の駆動カム溝２９１は、単一の耐衝撃カム溝２９９を挟んで配される。
【００５０】
組み立てられたレンズユニット２００において、カム筒２０５の外側には直進筒２０３が配される。ただし、レンズユニット２００において、カム筒２０５と直進筒２０３との間には、先筒２０４が配される。
【００５１】
直進筒２０３は、カム筒２０５のバヨネット爪２８６と係合するバヨネット溝を内面に有する。バヨネット溝は、直進筒２０３の内面において周方向に延在すると共に、一部が光軸Ｚ方向に切り欠かれる。これにより、カム筒２０５の外側に直進筒２０３を装着した場合に、カム筒２０５のバヨネット爪２８６を、バヨネット溝の内部に光軸Ｚ方向に嵌めることができる。
【００５２】
また、直進筒２０３は、光軸Ｚ方向に設けられた直進溝２９７を有する。直進溝２９７は、先筒２０４の一部と係合して、先筒２０４の光軸Ｚ廻りの回転を規制する。
【００５３】
更に、直進筒２０３は、外周面の後端近傍に、複数のリード部２９２を有する。リード部２９２は、直進筒２０３の径方向外側に向かって突出する。なお、前方に繰り出された場合、直進筒２０３の外周面前端側はレンズユニット２００の外部に向かって露出する。よって、直進筒２０３の表面および前端は、溝、突起、切欠き等を設けずに平坦に仕上げられる。
【００５４】
操作環２０２は、レンズユニット２００において最外周に取付られ、固定筒２０１に対して回転する。操作環２０２の内面には、螺旋状の複数のリード溝２９３が配される。操作環２０２がレンズユニット２００に取り付けられた場合、リード溝２９３は、直進筒２０３のリード部２９２と係合する。
【００５５】
上記のような固定筒２０１、操作環２０２、直進筒２０３、カム筒２０５および案内筒２０６を備えたレンズユニット２００においては、直進筒２０３のリード部２９２が、直進筒２０３の後端近傍に配置されている。また、リード溝２９３は、操作環２０２の内面前端まで延在している。よって、直進筒２０３を、その全長に近い長さまで繰り出すことができ、レンズユニット２００の変倍率を大きくできる。
【００５６】
また、リード溝２９３に係合するリード部２９２が、直進筒２０３の周上に複数設けられているので、操作環２０２による直進筒２０３の位置決めが安定する。更に、直進筒２０３は、リード部２９２の位置から光軸Ｚ方向に離間した最後端内面に設けられた複数のキー２８７（図２参照）において、固定筒２０１に固定された案内筒２０６の直進溝２８８に係合する。よって、直進筒２０３の光軸Ｚに対する傾きがぶれることが防止される。
【００５７】
更に、直進筒２０３の固定筒２０１に対する傾きが安定するので、直進筒２０３に支持された先筒２０４の光軸に対する傾きが変化することも抑制される。よって、直進筒２０３および先筒２０４により２段階に伸筒しても、レンズユニット２００の光学性能が変化し難い。これにより、高い光学性能を安定して発揮する高倍率の変倍レンズユニットを提供できる。換言すれば、光学性能を維持しつつ、より変倍率の高いレンズユニット２００を形成できる。
【００５８】
図４は、先筒２０４を単独で示す斜視図である。図１および図２と共通の要素には同じ参照番号を付して重複する説明を省く。
【００５９】
先筒２０４は、外周面の後端近傍に、３本の直進駒２８２を有する。３本の直進駒２８２は、先筒２０４の周方向について等間隔に配される。レンズユニット２００において、直進駒２８２は、直進筒２０３の内面に形成された直進溝２９７に係合する。これにより、先筒２０４の、直進筒２０３に対する回転が規制される。直進筒２０３も、固定筒２０１に対する回転を規制されているので、先筒２０４は、固定筒２０１に対しても回転が規制されることになる。
【００６０】
また、先筒２０４は、内面の後端近傍に、それぞれ複数の駆動カムピン２８１および耐衝撃駒２８９を有する。３本の耐衝撃駒２８９は、先筒２０４の周方向について等間隔に配される。耐衝撃駒２８９の各々は、先筒２０４の径方向に対して平行に近い起立した周面を有する。また、耐衝撃駒２８９の各々における周面は、レンズユニットの光軸Ｚと直交する一対の平面を含む。
【００６１】
駆動カムピン２８１は２本一組で、各一対の駆動カムピン２８１が１本の耐衝撃駒２８９を挟んで配される。駆動カムピン２８１の各々の周面は、駆動カム溝２９１のカム面の傾斜に倣って、先筒２０４の径方向に対して一定の傾きを有する。これにより、先筒２０４は、直進筒２０３およびカム筒２０５から、周方向について均等に支持されると共に、均等に駆動力を伝えられる。これにより、先筒２０４は、光軸Ｚ方向について、カム筒２０５に対して精度よく位置決めされると共に、駆動カム溝２９１から駆動力を伝達されて、光軸Ｚ方向に駆動される。
【００６２】
図５は、カム筒２０５を単独で拡大して示す斜視図である。図３と共通の要素には同じ参照番号を付して重複する説明を省く。
【００６３】
カム筒２０５は、一対の駆動カム溝２９１と、１本の耐衝撃カム溝２９９とを一組として、３組のカム溝を有する。駆動カム溝２９１の一端は、カム筒２０５の光軸方向に端面につながる溝端開口部２９０をそれぞれ有する。レンズユニット２００を組み立てる場合、先筒２０４の駆動カムピン２８１および耐衝撃駒２８９は、溝端開口部２９０を通じて、駆動カム溝２９１および耐衝撃カム溝２９９に挿入される。
【００６４】
なお、一対の駆動カム溝２９１と１本の耐衝撃カム溝２９９がなす一組のカム溝群において、一本の駆動カム溝２９１と耐衝撃カム溝２９９は、溝端開口部２９０を共用する。これにより、カム筒２０５の薄肉部の面積を減らし、カム筒２０５の強度を向上させることができる。
【００６５】
図６は、先筒２０４およびカム筒２０５を併せて示す側面図である。図５までと共通の要素には同じ参照番号を付して重複する説明を省く。
【００６６】
レンズユニット２００において、カム筒２０５は先筒２０４の内側に入り込む。これにより、先筒２０４の駆動カムピン２８１は、カム筒２０５の駆動カム溝２９１に係合する。また、先筒２０４の耐衝撃駒２８９は、カム筒２０５の耐衝撃カム溝２９９に係合する。
【００６７】
図７は、図６に示したカム筒２０５および先筒２０４の作用関係を模式的に示す展開図である。図示の状態では、先筒２０４の先端は、カム筒２０５よりも、長さＬ１まで前に出ている。このとき、先筒２０４の駆動カムピン２８１は、それぞれ、カム筒２０５の駆動カム溝２９１および耐衝撃カム溝２９９の比較的上部に係合している。また、先筒２０４の耐衝撃駒２８９も、耐衝撃カム溝２９９の比較的上部に位置している。
【００６８】
図８は、カム筒２０５および先筒２０４の作用関係を模式的に示す展開図である。図示の状態は、図７に示した状態から回転したカム筒２０５が、図中で上方に相対移動する。これにより、先筒２０４の駆動カムピン２８１は、カム筒２０５の駆動カム溝２９１内を図中下方に移動する。
【００６９】
既に説明した通り、レンズユニット２００において、先筒２０４は、直進駒２８２により光軸Ｚ周りの回転を規制されている。よって、駆動カムピン２８１が駆動カム溝２９１内を移動すると、光軸Ｚと平行な方向に駆動される。これにより、図示の例では、先筒２０４が長さＬ２まで前方に繰り出され、レンズユニット２００の光学系の倍率が変化する。なお、駆動カムピン２８１の相対的な移動に伴って、耐衝撃駒２８９も、耐衝撃カム溝２９９内を、図中下方に移動している。
【００７０】
図９は、カム筒２０５におけるプロファイルを示す模式的展開図である。図９には、一対の駆動カム溝２９１と単一の耐衝撃カム溝２９９とを含む一組のカム溝群が示される。
【００７１】
図中左側に位置する駆動カム溝２９１の一方と、耐衝撃カム溝２９９とは、レンズユニット２００の光軸Ｚ方向に離間し、且つ、カム筒２０５の周方向については同じ位置に配される。また、これらの駆動カム溝２９１および耐衝撃カム溝２９９は、カム筒２０５先端に形成された開口部２９０を共用する。これにより、カム筒２０５の周方向について限られた領域に複数のカム溝を配することができる。
【００７２】
図中右側に位置する他方の駆動カム溝２９１は、上記一方の駆動カム溝２９１に対して、レンズユニット２００の光軸Ｚ方向にも、光軸Ｚ周りの周方向にも位置がずれている。しかしながら、これら一対の駆動カム溝２９１は、互いに同じプロファイルを有する。よって、一対の駆動カム溝２９１は、協働して先筒２０４を駆動できると共に、精度よく位置決めできる。
【００７３】
一対の駆動カム溝２９１の各々において、側壁を形成する一対のカム面は、レンズユニット２００の径方向について外側に行くにつれて間隔が広くなる傾斜を有する。このような傾斜は、カム筒２０５を成形する場合に金型を抜きやすくすることを考慮して形成される。
【００７４】
駆動カム溝２９１において、上記のように傾斜したカム面が、カム筒２０５の回転軸と一致する光軸Ｚに直交する直線に対してなす角度は、駆動カム溝２９１の全長にわたって変化しない。そこで、駆動カム溝２９１に係合する駆動カムピン２８１の側面に形成されるフォロワ面も、上記カム面の傾斜と相補的な傾斜を有して円錐台状の形状を有する。これにより、駆動カムピン２８１の各々は、対応する駆動カム溝２９１に対して常時、線状に接触する。
【００７５】
駆動カム溝２９１の各々において、駆動カム溝２９１の上端に駆動カムピン２８１が位置する場合、先筒２０４は最も後退した位置にある。このとき、レンズユニット２００は沈胴状態になる。
【００７６】
駆動カム溝２９１内を駆動カムピン２８１が相対的に図中下方に移動すると、先筒２０４は光軸Ｚ方向に前進し、やがて、レンズユニット２００の倍率が最も低い広角端に到達する。この状態から駆動カムピン２８１が更に図中下方に移動すると、先筒２０４は更に前進し、レンズユニット２００の倍率が徐々に上昇する。換言すれば、駆動カム溝２９１における駆動カムピン２８１が、沈胴位置から広角端までの間に位置する場合、レンズユニット２００は所期の光学特性を発揮できない。
【００７７】
続いて、駆動カムピン２８１が図中下方に移動すると先筒２０４は更に前進し、やがて、最も前進した望遠端に到達する。これにより、レンズユニット２００の倍率は最も高くなる。
【００７８】
なお、駆動カム溝２９１の各々において、望遠端よりも先に形成された部分は、駆動カム溝２９１を開口部２９０に連通させる目的で形成されている。よって、駆動カムピン２８１が望遠端に到達すると、駆動カムピン２８１が望遠端よりも先まで移動することを防止する目的で、操作環２０２の回転等が規制される。
【００７９】
上記のように、レンズユニット２００は、駆動カム溝２９１における広角端と望遠端との間に形成される変倍区間を駆動カムピン２８１が移動する場合に、一眼レフカメラ１００による撮影に寄与する光学的性能を発揮する。駆動カム溝２９１における駆動カムピン２８１の広角端から沈胴位置までの移動は、レンズユニット２００を沈胴させる目的で先筒２０４を後退させるが、レンズユニット２００の光学的特性には関係がない。
【００８０】
また、駆動カム溝２９１において駆動カムピン２８１を光学的に有意に移動させる変倍区間の両端には、それぞれ、微動区間が設けられる。微動区間において、駆動カム溝２９１の延在方向が、レンズユニット２００の光軸Ｚと直交する平面Ｘ−Ｙに対してなす傾斜角度は、他の区間に比較して相対的に小さい。このため、レンズユニット２００の操作環２０２に対する同じ回転量に対して、先筒２０４の移動量が少なくなる。
【００８１】
なお、望遠端側の微動区間は、先筒２０４に対して光軸Ｚ方向の負荷がかかった場合に、光軸Ｚ方向に移動する駆動カムピン２８１によりカム筒２０５が回されてしまうことを防止する目的で設けられる。これにより、先筒２０４を望遠端まで繰り出した状態でレンズユニット２００の先端を重力方向上方に向けた場合に、レンズユニット２００が自重で縮筒または伸筒してしまうことが防止される。
【００８２】
先筒２０４において、駆動カムピン２８１と耐衝撃駒２８９との相対位置は固定されている。よって、カム筒２０５において、耐衝撃カム溝２９９の全体的なプロファイルは、駆動カム溝２９１のプロファイルと平行になる。よって、耐衝撃カム溝２９９においても、沈胴位置、変倍区間、微動区間等に対応した区間が形成される。ただし、耐衝撃カム溝２９９の溝幅およびカム面の傾きは一定ではない。
【００８３】
なお、既に説明した通り、駆動カムピン２８１は、駆動カム溝２９１に対して常時接触して先筒２０４を位置決めしている。しかしながら、耐衝撃駒２８９は、レンズユニット２００が外部から衝撃を受けていない場合に、最小限のクリアランスをもって耐衝撃カム溝２９９から離間していてもよい。これにより、耐衝撃駒２８９および耐衝撃カム溝２９９の摺動抵抗の発生を回避できる。
【００８４】
また、耐衝撃カム溝２９９の内部でカム面から離間する耐衝撃駒２８９は、耐衝撃カム溝２９９の後側のカム面に接近していることが好ましい。これにより、レンズユニット２００の先端側から衝撃を受けた場合に、耐衝撃駒２８９と耐衝撃カム溝２９９とが即座に当接する。
【００８５】
図１０は、耐衝撃カム溝２９９の形状を説明する模式図である。耐衝撃カム溝２９９は、駆動カム溝２９１と平行に延在する。しかしながら、耐衝撃カム溝２９９は、断面形状および溝幅が異なる部分を含む。図１０には、符号Ａ〜Ｆにより示す各位置において、耐衝撃カム溝２９９の延在方向に直交する断面の形状を個別に示す。
【００８６】
なお、符号Ａは、駆動カムピン２８１が沈胴位置に位置する場合に、耐衝撃駒２８９が存在する位置の直近の位置を示す。符号Ｂは、駆動カムピン２８１が広角端側の微動区間に位置する場合に、耐衝撃駒２８９が存在する位置を示す。符号Ｃは、駆動カムピン２８１が、変倍区間の中程を通過する場合に、耐衝撃駒２８９が存在する位置を示す。
【００８７】
また、符号Ｄは、駆動カムピン２８１が望遠端側の微動区間に進入する直前の位置にある場合に、耐衝撃駒２８９が存在する位置を示す。符号Ｅは、駆動カムピン２８１が望遠端側の微動区間に位置する場合に、耐衝撃駒２８９が存在する位置を示す。符号Ｆは、駆動カムピン２８１が開口部２９０に位置する場合に、耐衝撃駒２８９が存在する位置を示す。
【００８８】
図１０において、耐衝撃カム溝２９９の延在方向に直交する各断面において側壁をなすカム面の傾斜、即ち、光軸Ｚと直交する直線に対してカム面がなす角度に着目すると、耐衝撃カム溝２９９の延在方向の部位によってカム面の傾斜は異なる。図示の例では、図中に符号Ａ、Ｃ、Ｄ、Ｆにより示す位置においては、カム面の傾斜による耐衝撃カム溝２９９の広がりが比較的大きく、例えば、一対のカム面が相互に６０°の角度をなす。これに対して、符号ＢおよびＥに示す位置においては、カム面の傾斜による耐衝撃カム溝２９９の広がりが相対的に小さく、例えば、一対のカム面が相互に１６°の角度をなす。
【００８９】
更に、各々の断面において、一対のカム面の一方に着目すると、耐衝撃カム溝２９９のカム面の傾きが大きい位置においては、カム筒２０５の表面とカム面とが、両者の境界でなす角度は、相対的に大きくなる。図示の例では、符号Ａ、Ｃ、Ｄ、Ｆで示す位置において、カム筒２０５の表面とカム面とがなす角度は約１２０°になる。
【００９０】
これに対して、耐衝撃カム溝２９９のカム面が切り立った位置においては、カム筒２０５の表面とカム面とが境界でなす角度が相対的に小さくなる。図示の例では、符号Ｂ、Ｅで示す位置において、カム筒２０５の表面とカム面とがなす角度は９８°になる。
【００９１】
なお、符号Ａ、Ｃ、Ｄ、Ｆにより示す位置の断面において、耐衝撃カム溝２９９のカム面の傾斜は、駆動カム溝２９１のカム面の傾斜に略等しい。このように相対的に大きな傾斜を有するカム面は、耐衝撃カム溝２９９が、レンズユニット２００の光軸Ｚと直交する平面Ｘ−Ｙに対して大きな角度をなして延在する場合に金型成形がしやすい。
【００９２】
これに対して、符号Ｂ、Ｅにより示す位置の断面におけるカム面の傾斜は切り立っており、耐衝撃カム溝２９９の底面に対して直角に近い角度をなす。このような耐衝撃カム溝２９９は、耐衝撃カム溝２９９の延在方向が、レンズユニット２００の光軸Ｚと直交する平面Ｘ−Ｙに対して平行に近い場合に金型成形しやすい。
【００９３】
図１０において、一対のカム面の間隔により規定される耐衝撃カム溝２９９の溝幅に着目すると、図中に符号Ｂ、Ｅで示す位置における耐衝撃カム溝２９９の溝幅は相対的に他の位置よりも狭い。また、図中に符号Ａ、Ｃ、Ｆで示す位置における耐衝撃カム溝２９９の溝幅は、符号Ｄで示す位置の溝幅よりも更に広い。これにより、円形ではない耐衝撃駒２８９の移動を円滑にすると共に、カム筒２０５の強度および剛性を保っている。
【００９４】
このように、耐衝撃カム溝２９９は、その長手方向の部位に応じて、カム面の傾きも溝幅も変化する。そのような耐衝撃カム溝２９９のうち、駆動カム溝２９１のカム面の広がりが小さい部分に、耐衝撃駒２８９が当接する当接区間が形成される。
【００９５】
図示の例では、駆動カム溝２９１の変倍区間の両端に対応する位置で、耐衝撃カム溝２９９に一対の当接区間が設けられる。いずれの当接区間においても、図１０に符号Ｂ、Ｅの位置について示したしたように、耐衝撃カム溝２９９の溝幅は狭く、カム筒２０５の表面に対してカム面が切り立っている。
【００９６】
レンズユニット２００において、上記のような耐衝撃カム溝２９９は、図中に点線で示すように、先筒２０４に設けられた耐衝撃駒２８９と係合する。耐衝撃カム溝２９９に対する耐衝撃駒２８９の作用については、耐衝撃駒２８９の形状を説明した後に、改めて図１０を参照して説明する。
【００９７】
図１１は、耐衝撃カム溝２９９に係合する耐衝撃駒２８９の斜視図である。耐衝撃駒２８９において、光軸Ｚの方向について後側（図中では右手前側）の面は、当接面４００をなす。当接面４００は、レンズユニット２００において先筒２０４の先端に光軸Ｚ方向から衝撃が加わった場合に、耐衝撃カム溝２９９のカム面に当接する。
【００９８】
また、図１１は、耐衝撃駒２８９におけるひとつの断面を示す図でもある。図１１に示す平面Ｑは、レンズユニット２００における光軸Ｚと平行であり、且つ、先筒２０４の内周面に対して略平行である。なお、ここで「略平行」とは、先筒２０４の内周面が円筒面なので、平面Ｑと幾何学的に平行とはいえないことを意味している。
【００９９】
図１２は、図１１に示した、平面Ｑにより切った断面における耐衝撃駒２８９形状を示す。耐衝撃駒２８９の断面形状は、全体として図中縦長で、図中の上半分と下半分とがそれぞれ個別に台形をなす。
【０１００】
耐衝撃駒２８９の断面において、図中右側の側面が、当接領域４０１、４０２を含む当接面４００に相当する。当接面４００のうち、図中下側に位置する当接領域４０１を含む面Ｐ１は、光軸Ｚに対して直交する平面Ｘ−Ｙに対して角度αをなして傾斜する。
【０１０１】
また、当接面４００のうち、図中上側に位置する当接領域４０２を含む面Ｐ２は、光軸Ｚに対して直交する平面Ｘ−Ｙに対して角度βをなして傾斜する。このように、耐衝撃駒２８９の当接面４００は、互いに異なる向きで形成された複数の当接領域４０１、４０２を含む。
【０１０２】
図１３は、耐衝撃駒２８９における他の断面を示す図である。図１３に示す平面Ｒは、上記した平面Ｑに対して直交し、且つ、耐衝撃駒２８９の側周面におけるひとつの当接領域４０１とも直交する。また、平面Ｒは、先筒２０４の内周面に対しても略直交する。ここで「略直交」とは、先筒２０４の内周面が円筒面なので、平面Ｒと幾何学的に直角とはいえないことを意味している。
【０１０３】
図１４は、上記平面Ｒにより切った耐衝撃駒２８９のひとつの当接領域４０１の断面形状を示す。図示のように、当接領域４０１は、先筒２０４の内周面に対して、直角よりも角度δ大きな傾きを有する。
【０１０４】
このように、当接領域４０１は、図１２に示した傾きと、図１４に示した傾きとを併せ持つ。このような当接領域４０１の傾きは、当接領域４０１が当接する対象である耐衝撃カム溝２９９のカム面の傾きと等しい。
【０１０５】
より具体的には、先筒２０４がレンズユニット２００に組み込まれた場合に、当接領域４０１における耐衝撃駒２８９の傾きは、図１０において、符号Ｂにより示した位置、即ち、耐衝撃カム溝２９９の広角端側の当接区間におけるカム面の傾きと等しい。これにより、耐衝撃駒２８９の当接領域４０１は、耐衝撃カム溝２９９のカム面の当接区間に対して面で当接して、当接の衝撃を分散させることができる。
【０１０６】
同様に、耐衝撃駒２８９における他の当接領域４０２も、耐衝撃カム溝２９９の望遠端側の当接区間におけるカム面の傾きと同じ傾きを有する。これにより、耐衝撃駒２８９の当接領域４０２も、耐衝撃カム溝２９９のカム面の当接区間に対して面で当接して、当接の衝撃を分散させることができる。
【０１０７】
再び図１０を参照して、耐衝撃駒２８９および耐衝撃カム溝２９９について説明する。上記のような形状を有する耐衝撃駒２８９は、レンズユニット２００を組み立てる場合に、符号Ｆで示される位置の耐衝撃カム溝２９９と同じ断面形状を有する開口部２９０から、光軸Ｚの方向に耐衝撃カム溝２９９に挿入される。符号Ｆの位置では、耐衝撃カム溝２９９の溝幅が広いので、図中縦長の耐衝撃駒２８９を通過させることができる。
【０１０８】
続いて、耐衝撃カム溝２９９は９０°向きを変え、平面Ｘ−Ｙと平行に延在する。符号Ｅの位置で耐衝撃カム溝２９９の溝幅は狭くなるが、耐衝撃駒２８９の図中の横幅も狭いので、望遠端を越えて、耐衝撃駒２８９を変倍区間まで入れることができる。
【０１０９】
耐衝撃カム溝２９９の変倍区間には、望遠端に隣接して当接区間が設けられる。当接区間において、耐衝撃カム溝２９９のカム面が延在する方向は、光軸Ｚに直交する平面Ｘ−Ｙに対して角度βをなす。一方、耐衝撃駒２８９における当接領域４０２は、既に説明した通り、平面Ｘ−Ｙに対して角度βの傾きをなす。
【０１１０】
また、耐衝撃駒２８９の当接面４００は、耐衝撃カム溝２９９において符号Ｅにより示す位置のカム面の傾斜と同じ傾斜を有する。よって、耐衝撃駒２８９が耐衝撃カム溝２９９の望遠端側の当接区間に位置する場合、カム面と当接領域４０２とは平行になる。
【０１１１】
これにより、レンズユニット２００において先筒２０４の先端に光軸Ｚ方向から衝撃が加わった場合に、耐衝撃駒２８９は耐衝撃カム溝２９９と面で当接する。また、耐衝撃駒２８９と耐衝撃カム溝２９９との当接面は、符号Ｅで示した位置の断面形状から判るように、衝撃が加わる光軸Ｚ方向に対して直角に近い角度をなす。これらの作用により、耐衝撃駒２８９と耐衝撃カム溝２９９は、大きな衝撃に耐えて、先筒２０４とカム筒２０５との係合関係を維持できる。
【０１１２】
続いて、耐衝撃駒２８９が望遠端側の当接区間を過ぎると、耐衝撃カム溝２９９の延在方向は、平面Ｘ−Ｙに対して大きな角度をなす。しかしながら、符号Ｄおよび符号Ｃで示す位置の断面形状から判るように、耐衝撃カム溝２９９の溝幅が広くなるので、耐衝撃駒２８９は、耐衝撃カム溝２９９の内部を円滑に移動できる。
【０１１３】
図中で符号Ｃにより示すように、耐衝撃カム溝２９９が平面Ｘ−Ｙに対して大きな傾きをもつ区間に耐衝撃駒２８９が位置する場合、先筒２０４に光軸Ｚ方向に受けた衝撃は、駆動カムピン２８１から駆動カム溝２９１を通じてカム筒２０５に作用する。これにより、カム筒２０５は回転し、駆動カムピン２８１は駆動カム溝２９１の広角端に向かって移動する。
【０１１４】
これらの作用により受けた衝撃が緩和され、駆動カムピン２８１および駆動カム溝２９１に損傷が生じることが防止される。よって、耐衝撃カム溝２９９において、一対の当接区間に挟まれた溝幅の広い区間においては、耐衝撃駒２８９が耐衝撃カム溝２９９に接触しなくてもよい。
【０１１５】
また、上記のようなカム筒２０５の回転に伴い、耐衝撃カム溝２９９は、耐衝撃カム溝２９９における広角端側の当接区間に移動する。広角端側の当接区間において、耐衝撃カム溝２９９のカム面が延在する方向は、光軸Ｚに直交する平面Ｘ−Ｙに対して角度αをなす。一方、耐衝撃駒２８９における当接領域４０１は、既に説明した通り、平面Ｘ−Ｙに対して角度αをなす。
【０１１６】
また、耐衝撃駒２８９の当接面４００は、耐衝撃カム溝２９９において符号Ｂにより示す位置のカム面の傾斜と同じ傾斜を有する。よって、耐衝撃駒２８９が耐衝撃カム溝２９９の広角端側の当接区間に位置する場合、カム面と当接領域４０２とは平行になる。
【０１１７】
これにより、レンズユニット２００において先筒２０４の先端に光軸Ｚ方向から衝撃が加わった場合に、耐衝撃駒２８９は耐衝撃カム溝２９９と面どうしで当接する。また、耐衝撃駒２８９と耐衝撃カム溝２９９との当接面は、符号Ｅで示した位置の断面形状から判るように、衝撃が加わる光軸Ｚ方向に対して直角に近い角度をなす。これらの作用により、耐衝撃駒２８９と耐衝撃カム溝２９９とは、広角端の当接区間においても、大きな衝撃に耐えて、先筒２０４とカム筒２０５との係合関係を維持できる。
【０１１８】
更に、一対の駆動カムピン２８１は、耐衝撃駒２８９を挟んで配される。また、レンズユニット２００において、一対の駆動カム溝２９１は耐衝撃カム溝２９９を挟んで配される。これにより、耐衝撃駒２８９および耐衝撃カム溝２９９による緩衝機能は、一対の駆動カムピン２８１および一対の駆動カム溝２９１に対して概ね均等に作用する。
【０１１９】
なお、上記の例では、先筒２０４が受けた衝撃により耐衝撃駒２８９が広角端側の当接区間に移動した場合について説明した。しかしながら、レンズユニット２００が広角側に変倍されて、耐衝撃駒２８９が当初より広角側当接区間に位置していた場合も、耐衝撃駒２８９および耐衝撃カム溝２９９は、大きな衝撃を受け止めることができる。
【０１２０】
カム筒２０５が更に回され、耐衝撃駒２８９が広角端側の当接区間を過ぎると、耐衝撃カム溝２９９の延在方向は、平面Ｘ−Ｙに対して再び大きな角度をなす。しかしながら、符号Ａで示す位置の断面形状から判るように、沈胴位置に連通する耐衝撃カム溝２９９の溝幅は広いので、耐衝撃駒２８９は、耐衝撃カム溝２９９の内部を円滑に移動できる。
【０１２１】
上記のような耐衝撃カム溝２９９および耐衝撃駒２８９を有するレンズユニット２００においては、光軸Ｚ方向の成分を含む衝撃が先筒２０４に加わった場合に、当該衝撃がレンズユニット２００の前方に向かうものであっても、レンズユニット２００の後方に向かうものであっても、一対の当接区間２９６のいずれかが耐衝撃駒２８９と当接して衝撃を受け止める。
【０１２２】
なお、上記の例では、耐衝撃駒２８９および耐衝撃カム溝２９９は、レンズユニット２００の先端側から、レンズユニット２００の光軸Ｚ方向に衝撃を受けた場合に、当接して衝撃を受け止める構造を有する。更に、レンズユニット２００において、耐衝撃駒２８９の、光軸Ｚ方向前側にも当接面４００を設け、レンズユニット２００の後端側から先端側に向かう衝撃を耐衝撃カム溝２９９で受け止める構造を加えてもよい。
【０１２３】
また、上記の例では、駆動カム溝２９１における駆動区間の両端に当接区間を配したが、他の区間に当接区間を設けてもよい。更に、より多くの当接区間を設けてもよい。このような形態とした場合は、耐衝撃駒２８９の形状も、設けた当接区間の数および形状に応じて変更される。
【０１２４】
このように、レンズユニット２００においては、駆動カム溝２９１および駆動カムピン２８１が、先筒２０４の位置決め精度を担保すると共に、耐衝撃駒２８９および耐衝撃カム溝２９９が衝撃を受け止める。よって、高い耐衝撃性と、高精度な位置決めおよび円滑な駆動とを両立させることができる。
【０１２５】
ここまで、一眼レフカメラ１００を例にあげて説明したが、ノンレフレックスカメラのレンズユニット２００においても上記の構造は適用できる。更に、レンズユニット２００とカメラボディ３００が一体に形成されたカメラの他、カムにより駆動される光学部材を備えてユーザに携帯される望遠鏡、測量器、屋外用顕微鏡等においても上記の構造を適用できる。
【０１２６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【０１２７】
１００  一眼レフカメラ、２００  レンズユニット、２０１  固定筒、２０２  操作環、２０３  直進筒、２０４  先筒、２０５  カム筒、２０６  案内筒、２０７  第一移動枠、２０８  レンズ側マウント部、２０９  第二移動枠、２１０  第一レンズ群、２１２、２２２、２３２、２３２、２４２  レンズ保持枠、２２０  第二レンズ群、２３０  第三レンズ群、２４０  第四レンズ群、２７０  送りねじ組立体、２７２  ステッピングモータ、２７４  送りねじ、２７６  フレーム、２７８  ラック部材、２８０  リード部、２８１  駆動カムピン、２８２  直進駒、２８３、２８４  カムピン、２８５  連結ピン、２８６  バヨネット爪、２８７  キー、２８８、２９７  直進溝、２８９  耐衝撃駒、２９０  開口部、２９１  駆動カム溝、２９２  リード部、２９３、２９４  リード溝、２９５  位置決め部、２９９  耐衝撃カム溝、３００  カメラボディ、３１０  シャッタユニット、３２０  基板、３２２  制御部、３２４  画像処理部、３３０  撮像素子、３３２  ローパスフィルタ、３４０  表示部、３５０  ファインダ、３５２  フォーカシングスクリーン、３５４  ペンタプリズム、３５６  ファインダ光学系、３６０  ボディ側マウント部、３７０  ミラーユニット、３７１  メインミラー、３７２  メインミラー保持部、３７３  メインミラー回動軸、３７４  サブミラー、３７５  サブミラー保持部、３７６  サブミラー回動軸、３８０  合焦光学系、３８２  焦点検出センサ、３９０  測光センサ、４００  当接面、４０１、４０２  当接領域
【図１】
2014085486.tif 000003
【図２】
2014085486.tif 000004
【図３】
2014085486.tif 000005
【図４】
2014085486.tif 000006
【図５】
2014085486.tif 000007
【図６】
2014085486.tif 000008
【図７】
2014085486.tif 000009
【図８】
2014085486.tif 000010
【図９】
2014085486.tif 000011
【図１０】
2014085486.tif 000012
【図１１】
2014085486.tif 000013
【図１２】
2014085486.tif 000014
【図１３】
2014085486.tif 000015
【図１４】
2014085486.tif 000016